(57)【要約】【課題】機器の操作設定時に、過去に使用されたことのある設定情報を素早く簡単に使用できる機器操作装置を提供する。【解決手段】設定操作部１６では、複数の設定項目を持つ機器において、ユーザによる設定項目の選択操作を受け付け、選択された設定項目に対してユーザによる設定値の入力操作を受け付ける。設定履歴記憶部１７では、設定操作部１６を通して過去にユーザによって設定された設定情報を複数記憶する。設定履歴選択部１８では、設定履歴記憶部１７に記憶されている複数の設定情報をユーザに提示し、ユーザによる設定情報の選択操作を受け付ける。【選択図】        図１
2004206179.tif 000002
【特許請求の範囲】
【請求項１】
複数の設定項目を持つ機器において、ユーザによる設定項目の選択操作を受け付け、選択された設定項目に対してユーザによる設定値の入力操作を受け付ける設定操作部と、
該設定操作部を通して過去にユーザによって設定された設定情報を複数記憶する設定履歴記憶部と、
該設定履歴記憶部に記憶されている複数の設定情報をユーザに提示し、ユーザによる設定情報の選択操作を受け付ける設定履歴選択部と、
を有し、該設定履歴選択部を通して過去の設定履歴からユーザによって選択された設定情報を、機器の設定に反映させることを特徴とする機器操作装置。
【請求項２】
１つの設定項目を１つの設定情報として扱い、
前記設定履歴記憶部から前記設定履歴選択部を通してユーザによって選択された設定項目に対して、前記設定操作部を通してユーザによって入力された設定値を受け付け、前記設定項目と該設定値との組を機器の設定に反映させることを特徴とする請求項１記載の機器操作装置。
【請求項３】
１つの設定項目と該設定項目に対して入力された設定値との組を、１つの設定情報として扱い、
前記設定履歴記憶部から前記設定履歴選択部を通してユーザによって選択された設定項目及び設定値の組を、機器の設定に反映させることを特徴とする請求項１記載の機器操作装置。
【請求項４】
前記機器は、複数の設定項目に対してそれぞれ設定値を入力した後に動作実行を行い、
当該機器操作装置は、１つの実行動作に対する複数の設定項目及び各設定項目に対する設定値を、まとめて１つの設定情報として扱い、
前記設定履歴記憶部から前記設定履歴選択部を通してユーザによって選択されたひとまとまりの設定項目及び各設定項目に対する設定値を、機器の設定に反映させることを特徴とする請求項１記載の機器操作装置。
【請求項５】
前記機器は、複数のユーザで共用される機器とし、
当該機器操作装置は、現在使用中のユーザを特定するユーザ識別部を有し、
前記設定履歴記憶部は、設定情報を設定したユーザ毎に記憶するものとし、
前記設定履歴選択部は、現在使用中のユーザによって過去に設定された設定情報のみを提示することを特徴とする請求項１乃至４のいずれか１記載の機器操作装置。
【請求項６】
前記設定履歴選択部は、ユーザに対する設定情報の提示を音声出力によって行うことを特徴とする請求項１乃至５のいずれか１記載の機器操作装置。
【請求項７】
前記設定履歴選択部は、ユーザに対する設定情報の選択を音声認識によって行うことを特徴とする請求項１乃至６のいずれか１記載の機器操作装置。
【請求項８】
コンピュータを、請求項１乃至７のいずれか１記載の機器操作装置として機能させるためのプログラム。
【請求項９】
請求項８記載のプログラムを記録したコンピュータ読み取り可能な記録媒体。
【発明の詳細な説明】
【０００１】
【発明の属する技術分野】
本発明は、機器操作装置、プログラム、及び記録媒体に関し、より詳細には、多様化した設定操作を有し複数の設定項目を持つ機器に対してユーザの機器設定を補助する機器操作装置、その機器操作装置の機能を実行するためのプログラム、及びそのプログラムを記録したコンピュータ読み取り可能な記録媒体に関する。また、本発明は、例えば、複写機，ファクシミリ装置，プリンタ装置，スキャナ装置，それらのＯＡ機器が提供する機能を１台に統合した複合機など、その機器操作装置を組み込んだ画像形成装置等の機器における種々の操作において、視覚障害者の使用を考慮した操作が行える聴覚的ユーザインタフェースなどに、音声合成技術などと併せて適用可能である。
【０００２】
【従来の技術】
近年、複写機，ファクシミリ装置，プリンタ装置，スキャナ装置，それらのＯＡ機器が提供する機能を１台に統合した複合機（以下、ＭＦＰ（Multi-FunctionPeripherals）という）等の機器は、取り扱う機能が多様となりテンキーや機能キーだけでは操作ができなくなったために、ディスプレイ上にタッチパネルを設け、画面には操作手順を示す文字や入力場所を示す絵等が表示され、ユーザが絵に対応して予め設定された入力エリアに触れることによって入力を行うタッチパネル入力方法が広く普及している。
【０００３】
このように、最近の画像形成装置をはじめとする機器は、デジタル技術の導入などによって飛躍的に多機能化している。このため、キーの数が多くなる、キー操作が複雑なものになる、キーに割り当てられる機能・動作が場面によって変化する、ハードキーではなく、液晶タッチパネルなどによる仮想ボタン操作になるなど、視覚などに障害を持つユーザや高齢のユーザにとってバリアを生む状況となっている。
【０００４】
視覚に障害を持つユーザに対しては、例えば、音声ガイダンスに従って操作ができる、複写機，ファクシミリ装置，プリンタ装置などからなる複合装置も存在する（例えば、特許文献１参照）。この種の複合装置においては、音声ガイドの内容を操作者だけに聞き取らせるハンドセット等からなる音声出力手段や、音声ガイドの内容をそのまま周囲に聞き取らせるスピーカからなる音声出力手段を備えている。なお、ハンドセットを用いることで、音声ガイドが外部に漏れることがなくなり、複合装置の回りにいる人に迷惑をかけることなく、複合装置を利用することが可能になる。
【０００５】
【特許文献１】
特開平１０−１１７２６３号公報
【０００６】
【発明が解決しようとする課題】
上述のごとく、特許文献１に記載の発明においては、音声ガイドに従って一連の操作を行うことで基本的な機能を使用できる。しかしながら、このようなガイドに従うシーケンシャルな設定方法は初めての場合は分かりやすいが、その機器に習熟したあとでも操作時間の短縮が見込まれないと言う欠点がある。また、用意されたシーケンス以外の操作を自由に行うことができず、晴眼者と同等に全ての機能にアクセスすることは想定されていない。このことは視覚障害者の社会参加を阻むものとなる。
【０００７】
また、本出願人は、特願２００１−２７２９５５号明細書において、階層メニューに配した設定項目を方向キーに見立てたテンキー操作で順次たどり、設定項目名を合成音声で逐次フィードバックすることにより、視覚障害者が晴眼者と同等の機能にアクセスすることが可能な、機器操作装置、プログラム及び記録媒体並びに画像形成装置を提案した。同明細書には、音声認識によるショートカットによって迅速な設定が可能な、機器操作装置、プログラム及び記録媒体並びに画像形成装置も提案している。
【０００８】
しかしながら、操作に慣れないユーザにとっては毎回メニュー構造や音声認識用キーワードを確認する必要があり、たとえ前回と同じ設定を行う場合でも各種情報の参照と操作の手間がつきまとうという欠点がある。特に視覚障害を持つユーザにとっては操作に必要な情報を参照するには点字や音声録音テープなど、取り扱いの面倒なメディアを使用することになるため、問題はより大きい。
【０００９】
本発明は、上述のごとき実情を鑑みてなされたものであり、過去に使用されたことのある設定情報を再利用することで簡単に機器の設定を行うことが可能な、機器操作装置、プログラム、及び記録媒体を提供することをその目的とする。
【００１０】
また、本発明は、過去に使用されたことのある設定項目へ素早く簡単にアクセスすることが可能な、機器操作装置、プログラム、及び記録媒体を提供することを他の目的とする。
【００１１】
また、本発明は、過去に使用されたことのある設定を設定値も含めて素早く簡単に再現することが可能な、機器操作装置、プログラム、及び記録媒体を提供することを他の目的とする。
【００１２】
また、本発明は、過去の動作実行に使用された設定をまとめて再利用することで簡単に機器の動作実行に必要な準備を完了することが可能な、機器操作装置、プログラム、及び記録媒体を提供することを他の目的とする。
【００１３】
また、本発明は、ユーザごとに自分が使用した過去の設定を素早く簡単に呼び出すことが可能な、機器操作装置、プログラム、及び記録媒体を提供することを他の目的とする。
【００１４】
また、本発明は、視覚を使えない状況であっても過去に使用されたことのある設定情報を素早く簡単に使用することが可能な、機器操作装置、プログラム、及び記録媒体を提供することを他の目的とする。
【００１５】
さらに、本発明は、音声認識用のキーワードを忘れた場合でも以前使用した設定情報を簡単に呼び出すことが可能な、機器操作装置、プログラム、及び記録媒体を提供することを他の目的とする。
【００１６】
【課題を解決するための手段】
請求項１の発明は、複数の設定項目を持つ機器において、ユーザによる設定項目の選択操作を受け付け、選択された設定項目に対してユーザによる設定値の入力操作を受け付ける設定操作部と、該設定操作部を通して過去にユーザによって設定された設定情報を複数記憶する設定履歴記憶部と、該設定履歴記憶部に記憶されている複数の設定情報をユーザに提示し、ユーザによる設定情報の選択操作を受け付ける設定履歴選択部と、を有し、該設定履歴選択部を通して過去の設定履歴からユーザによって選択された設定情報を、機器の設定に反映させることを特徴としたものである。
【００１７】
請求項２の発明は、請求項１の発明において、１つの設定項目を１つの設定情報として扱い、前記設定履歴記憶部から前記設定履歴選択部を通してユーザによって選択された設定項目に対して、前記設定操作部を通してユーザによって入力された設定値を受け付け、記設定項目と該設定値との組を機器の設定に反映させることを特徴としたものである。
【００１８】
請求項３の発明は、請求項１の発明において、１つの設定項目と該設定項目に対して入力された設定値との組を、１つの設定情報として扱い、前記設定履歴記憶部から前記設定履歴選択部を通してユーザによって選択された設定項目及び設定値の組を、機器の設定に反映させることを特徴としたものである。
【００１９】
請求項４の発明は、請求項１の発明において、前記機器は、複数の設定項目に対してそれぞれ設定値を入力した後に動作実行を行い、当該機器操作装置は、１つの実行動作に対する複数の設定項目及び各設定項目に対する設定値を、まとめて１つの設定情報として扱い、前記設定履歴記憶部から前記設定履歴選択部を通してユーザによって選択されたひとまとまりの設定項目及び各設定項目に対する設定値を、機器の設定に反映させることを特徴としたものである。
【００２０】
請求項５の発明は、請求項１乃至４のいずれか１の発明において、前記機器は、複数のユーザで共用される機器とし、当該機器操作装置は、現在使用中のユーザを特定するユーザ識別部を有し、前記設定履歴記憶部は、設定情報を設定したユーザ毎に記憶するものとし、前記設定履歴選択部は、現在使用中のユーザによって過去に設定された設定情報のみを提示することを特徴としたものである。
【００２１】
請求項６の発明は、請求項１乃至５のいずれか１の発明において、前記設定履歴選択部は、ユーザに対する設定情報の提示を音声出力によって行うことを特徴としたものである。
【００２２】
請求項７の発明は、請求項１乃至６のいずれか１の発明において、前記設定履歴選択部は、ユーザに対する設定情報の選択を音声認識によって行うことを特徴としたものである。
【００２３】
請求項８の発明は、コンピュータを、請求項１乃至７のいずれか１記載の機器操作装置として機能させるためのプログラムである。
【００２４】
請求項９の発明は、請求項８記載のプログラムを記録したコンピュータ読み取り可能な記録媒体である。
【００２５】
【発明の実施の形態】
図１は、本発明の一実施形態に係る機器操作装置の構成例を説明するための図で、機器操作装置を複写機に組み込んだ場合の構成例を示す図である。
本発明の第１の実施形態に係る機器操作装置１０は、設定操作部１６，設定履歴記憶部１７，設定履歴選択部１８を少なくとも有し、設定履歴選択部１８を通して過去の設定履歴からユーザによって選択された設定情報を、機器の設定に反映させるものとする。図１では、本発明に係る機器操作装置の一例として複写機１（但し、複写部は図示せず）に組み込んだ例を示している。ここで例示する複写機１は、キー及び音声入出力によってメニュー操作を行うものとする。しかしながら、本発明に係る機器操作装置は、ここで例示する複写機１への組み込みに限ったものではなく、他の画像形成装置や、その他にも、多様化した設定操作を有し複数の設定項目を持つ機器に対しても、組み込みが可能であり、同様の効果が得られる。例えば、画像形成装置であれば、本発明に係る機器操作装置を用いて、画像形成機能に対する設定項目を選択・決定してから画像形成を行うようにすればよい。
【００２６】
また、図１の複写機１においては、本発明に係る機器操作装置を機器操作装置１０として例示しているように、音声合成部１１及びスピーカ、音声認識部１２及びマイク、テンキー１３、メニュー記憶部１５、設定操作部１６、設定履歴記憶部１７、設定履歴選択部１８、ユーザ識別部１９を機器操作装置１０に備え、機器操作装置１０にて設定された事項に基づいて、複写に係わるハードウェアなどを制御する複写制御部２０へ設定を行い、スタートキー１４による実行指令に基づき複写制御部２０が複写動作の実行をそのハードウェアに行わせることとなる。なお、機器操作装置１０としては、音声合成部１１及びスピーカ、音声認識部１２及びマイク、テンキー１３、スタートキー１４、メニュー記憶部１５、のいずれか１又は複数を、機器（ここでは複写機１）側に設けられたもので代用してもいいことは言及するまでもない。また、ユーザ識別部１９は、後述する複数ユーザ対応の機器に対して設けられるものであり、これも機器側のもので代用してもよい。
【００２７】
設定操作部１６では、複数の設定項目を持つ機器において、ユーザによる設定項目の選択操作を受け付け、選択された設定項目に対してユーザによる設定値の入力操作を受け付ける。設定履歴記憶部１７では、設定操作部１６を通して過去にユーザによって設定された設定情報を複数記憶する。設定履歴選択部１８では、設定履歴記憶部１７に記憶されている複数の設定情報をユーザに提示し、ユーザによる設定情報の選択操作を受け付ける。本実施形態によれば、過去に使用されたことのある設定情報を素早く簡単に使用できる。
【００２８】
また、本発明の第２の実施形態として、第１の実施形態において、１つの設定項目を１つの設定情報として扱うようにしてもよい。この場合、設定履歴記憶部１７から設定履歴選択部１８を通してユーザによって選択された設定項目に対して、設定操作部１６を通してユーザによって入力された設定値を受け付け、設定項目と設定値との組を機器の設定に反映させる。本実施形態によれば、過去に使用されたことのある設定項目へ素早く簡単にアクセスできる。
【００２９】
また、本発明の第３の実施形態として、第１の実施形態において、１つの設定項目と設定項目に対して入力された設定値との組を、１つの設定情報として扱うようにしてもよい。この場合、設定履歴記憶部１７から設定履歴選択部１８を通してユーザによって選択された設定項目及び設定値の組を、機器の設定に反映させる。本実施形態によれば、過去に使用されたことのある設定を素早く再現することをできる。
【００３０】
また、本発明の第４の実施形態として、第１の実施形態において、１つの実行動作に対する複数の設定項目及び各設定項目に対する設定値を、まとめて１つの設定情報として扱うようにしてもよい。この場合、機器が、複数の設定項目に対してそれぞれ設定値を入力した後に動作実行を行うようなものである必要がある。また、設定履歴記憶部１７から設定履歴選択部１８を通してユーザによって選択されたひとまとまりの設定項目及び各設定項目に対する設定値を、機器の設定に反映させる。本実施形態によれば、過去の動作実行に使用された設定をそのまま簡単に使用することができる。
【００３１】
また、本発明の第５の実施形態として、第１乃至第４のいずれかの実施形態において、機器が、複数のユーザで共用される機器である場合にも対応可能とすることが好ましい。この場合、機器操作装置には、現在使用中のユーザを特定するユーザ識別部１９をさらに有するようにしておく必要がある。勿論、機器側にユーザ識別部が具備されている場合にはそれを利用してもよい。また、設定履歴記憶部１７では、設定情報を設定したユーザ毎に記憶するものとし、設定履歴選択部１８では、現在使用中のユーザによって過去に設定された設定情報のみを提示するようにする。本実施形態によれば、ユーザごとに自分が使用した過去の設定を素早く簡単に呼び出すことができる。
【００３２】
また、本発明の第６の実施形態として、第１乃至第５のいずれかの実施形態において、設定履歴選択部１８は、ユーザに対する設定情報の提示を音声出力によって行うようにしてもよい。図１ではスピーカ及び音声合成部１１によりこれを実現している。本実施形態によれば、視覚を使えない状況であっても過去に使用されたことのある設定情報を素早く簡単に使用できる。
【００３３】
また、本発明の第７の実施形態として、第１乃至第６のいずれかの実施形態において、設定履歴選択部１８は、ユーザに対する設定情報の選択を音声認識によって行うようにしてもよい。図１ではマイク及び音声認識部１２によりこれを実現している。勿論、図１の例のごとく、第６の実施形態に基づき音声認識，音声出力の双方を可能にすることが好ましい。本実施形態によれば、音声認識用のキーワードを忘れていても以前使用した設定情報を簡単に呼び出すことができる。
【００３４】
また、本発明の他の実施形態として、コンピュータを、第１乃至第７のいずれかの実施形態に係る機器操作装置として、機能させるためのプログラム（例えば図６で後述する処理手順を実行するためのプログラム）や、そのプログラムを記録したコンピュータ読み取り可能な記録媒体としての形態も採用可能である。記録媒体としては、具体的には、ＣＤ−ＲＯＭ、光磁気ディスク、ＤＶＤ−ＲＯＭ、ＦＤ、フラッシュメモリ、メモリスティック、及びその他各種ＲＯＭやＲＡＭ等が想定でき、これら記録媒体に上述した本発明の各実施形態の機器操作装置の機能をコンピュータ（汎用コンピュータに限らず、機器内に組み込まれたＣＰＵ等も含むものとする）に実行させ、この機能を実現するためのプログラムを記録して流通させることにより、当機能の実現を容易にする。そしてコンピュータ等の情報処理装置に上述のごとくの記録媒体を装着して情報処理装置によりプログラムを読み出すか、若しくは情報処理装置が備えている記録媒体に当プログラムを記憶させておき、必要に応じて読み出すことにより、本発明に係わる機器操作の機能を実行することができる。
【００３５】
以下、本発明の一実施例として、図１の複写機１（機器操作装置を、キー及び音声入出力によってメニュー操作を行う複写機へ組み込んだもの）を例に挙げて詳細に説明する。
【００３６】
図２は、図１の複写機におけるメニューの一覧の例を示す図で、図中、３０はメニュー一覧の具体例を示している。
複写機１では、操作項目を機能別に分類し、その分類をさらに細分化していくというように多階層を持った単一のメニューとして作成し、これをメニュー記憶部１５に記憶しておく。例えば、「原稿」，「用紙」のようなまだ細目の設定項目があるような場合には、それをサブグループ名としてまとめ、そのサブグループの下にさらに「種類」，「濃度」の設定項目を整理・配置する。設定項目がとりうる設定値として「文字」，「写真」といった選択肢がある場合はこれらを設定項目の下に配置する。図２のメニュー一覧３０では、メイングループとして、１．部数、２．原稿、３．用紙、４．変倍、５．両面・集約・分割、６．フィニッシャー、を挙げており、例えば２．原稿に対するサブグループとして、２１．種類、２２．濃度、を挙げ、さらに例えば２２．濃度のサブグループとして、２２１．自動、２２２．濃く、２２３．薄く、を挙げている。
【００３７】
ユーザは、テンキー１３を用いて、この階層メニューの階層をたどって所望の設定項目に移動し、これを選択するという操作を繰り返して所望の設定を完了した後にスタートキー１４を押下することによって、原稿の複写が作成される。
【００３８】
設定項目の下層に選択肢としての設定値がある場合はここに移動して選択するという操作で設定値の入力が行われ、「部数」のように下層に項目を持たず、数値を入力するような設定項目ではこの設定項目へ移動して選択した時点でテンキーが数値入力モードに切り替わり、ここで設定値を入力する。
【００３９】
図３は、図１の複写機におけるテンキーの機能割り当て例を説明するための図である。
以下、図３で示すテンキー割り当てに基づき、本実施例の操作方法を説明する。テンキー１３による移動操作としては、階層の上下移動をテンキー１３中の垂直方向に配置された<2>，<8>のキーの押下によって行い、同階層項目間の隣接移動をテンキー１３中の水平方向に配置された<4>，<6>のキーにより行う。また、設定項目や設定値の確定操作はテンキー１３中の<#>のキーによって行う。
【００４０】
テンキー１３を用いて階層メニュー上に配置された設定項目や設定値を移動する際に、複写機１は、設定項目名や設定値を音声でスピーカ（音声合成部に接続）から出力することにより、ユーザへ操作のフィードバックを行う。
【００４１】
なお、テンキー１３によって項目を移動する方法の他に、音声認識によって直接移動する方法もある。テンキー１３の<9>キー押下に続いて項目名をユーザが発声した場合は、複写機１は、これを認識して該当する設定項目や設定値へ直接移動する。
【００４２】
さらに、テンキー１３中の<5>のキーを押すことで履歴選択モードに入る。履歴選択モードから抜けるには再び<5>のキーを押す。履歴選択モードでは<2>，<8>，<4>，<6>のキーの機能が履歴選択のための機能に変化する。
【００４３】
通常のモードでは、ユーザによるテンキー１３の操作や、音声認識部１２によって認識したユーザの音声による指定を、設定操作部１６が受け付け、メニュー記憶部１５に階層的に記憶された設定項目を、順次、音声合成部１１を通してユーザに提示し、ユーザに選択された設定項目，設定値を複写制御部２０に対して設定する。スタートキー１４が押されると設定に従って複写制御部２０が複写動作を開始する。このとき、設定情報が設定履歴記憶部１７の設定履歴リストの先頭に追加される。設定履歴記憶部１７では図４のリスト４０のごときリストとして設定情報を記憶する。
【００４４】
これに対し、履歴選択モードでは、ユーザによるテンキー１３の操作や、音声認識部１２によって認識したユーザの音声による指定を、設定履歴選択部１８が受け付け、設定履歴記憶部１７にリストとして記録されている設定履歴の中からユーザに指定された設定情報を複写制御部２０に反映する。
【００４５】
図４は、図１の複写機における設定履歴記憶部に保存された設定情報の例を示す図である。
過去の設定情報は、新しい順に図４のごときリスト（履歴リストともいえる）４０として、設定履歴記憶部１７に保存されている。ここで例示する設定情報のリスト４０は、ユーザ・コード４１，実行Ｎｏ．４２，設定項目４３，設定値４４の情報が対応して格納された例である。例えば、ユーザ・コード４１が「０３」、実行Ｎｏ．４２が「１」、設定項目４３が「原稿」、設定値４４が「両面」、という具合になっている。このリスト４０を用いると、第５の実施形態のごとき複数ユーザ対応で、且つ、第４の実施形態のごとき、１つの実行動作に対する複数の設定項目及び各設定項目に対する設定値をまとめて１つの設定情報として扱うようにする場合にも、対応が可能となる。例えば、ユーザ・コードが「０３」に対応するユーザが、実行した１つの実行動作「実行Ｎｏ．１」に対しては、リスト４０の上３行（「原稿」が「両面」で、「拡大」が「１１５％」で、「用紙」が「トレイ１」の設定で実行した動作）で記憶、履歴の提示（呼出）が可能である。
【００４６】
図５は、図４のリストに基づき、設定履歴選択部を通してユーザが設定する際のテンキー操作例のイメージを示す図である。
図４のリスト４０に基づいて、ユーザは設定履歴選択部１８を通して、設定項目を選択して、機器設定動作を行うことが可能となる。図４のリスト４０のように記憶されている履歴リストから設定情報を選択する際の動作を、図５を参照して説明する。履歴リストから設定情報を選択する方法は３種類有り、<4>，<6>キーによって切り替える。この設定情報の選択の３種類とは、「項目選択」（リスト５１），「設定選択」（リスト５２），「一括選択」（リスト５３）の３種類の選択方法（後に詳述する）であり、いずれの選択方法もリスト４０から抽出されたものであり、それぞれ、第２の実施形態，第３の実施形態，第４の実施形態に対応している。<4>，<6>キーによる切り替えでは、<4>キーを押すことによって「一括選択」リスト５３→「設定選択」リスト５２→「項目選択」リスト５１の順に切り替わり、<6>キーを押すことによって「項目選択」リスト５１→「設定選択」リスト５２→「一括選択」リスト５３に切り替わる。このときのテンキー操作のイメージが図５に示してある。また、<2>，<8>のキーで、それぞれ１つ新しい設定情報，１つ古い設定情報へ移動する。すなわち、リスト５１，５２，５３内での設定情報の移動は、<2>，<8>キーによって行うが、このときの動作は３種類の選択方法によって異なる。
【００４７】
このような操作によって所望の設定情報へ移動したら<#>キーを押すことによってその設定情報を呼び出して複写制御部２０に反映する。なお、<1>キーにつづいてユーザコードを入力すると、そのユーザによって設定された設定情報のみが選択の対象となる。
【００４８】
また、この履歴選択モードにおいても音声認識による直接移動が可能である。テンキーの<9>キー押下に続いて設定情報につけられた名前をユーザが発声した場合は、複写機１はこれを認識して該当する設定情報へ直接移動する。
【００４９】
ここで、「項目選択」（リスト５１），「設定選択」（リスト５２），「一括選択」（リスト５３）の３種類の選択方法のそれぞれについて詳述する。
項目設定では、項目名だけをユーザに提示するが、リストの設定情報を順次移動する際に、それより新しい設定情報として同じ設定項目があればそれはスキップされる。このためユーザには、図５の「項目選択」リスト５１のようなリストとして提示されることになる。
【００５０】
設定選択では、それより新しい設定情報として設定項目・設定値ともに同じものがあればそれはスキップされる。このためユーザには、図５の「設定選択」リスト５２のようなリストとして提示されることになる。
【００５１】
一括選択では、実行Ｎｏ．が同じ設定項目・設定値がまとめて１つの設定情報としてユーザに提示される。リストの設定情報を順次移動する際にはスキップされるものはなく、全ての設定情報が記憶されている順に提示される。このためユーザには図５の「一括選択」リスト５３のようなリストとして提示されることになる。
【００５２】
さらに、ユーザコードが入力されている場合は、それぞれの方法において、さらに該当するユーザコードと異なるユーザコードを持つ設定情報をスキップして提示するとよい。
【００５３】
図６及び図７は、図１の複写機における設定履歴選択部での処理例を説明するためのフロー図である。
履歴選択モードでの処理の流れを図６及び図７に沿って説明する。なお、図中の記号は以下の意味を持つ。ｉは、設定履歴記憶部１７での設定情報のインデックスで、０から始まり新しい方から古い方へ番号が増えていく。Ｎは、設定情報の数である。項目ｉ，値ｉ，実行ｉ，ユーザｉは、それぞれ、ｉ番目の設定項目，設定値，実行Ｎｏ．，ユーザ・コードである。方法は、選択方法であり、０は項目選択，１は設定選択，２は一括選択を表す。Ｕはユーザ識別部１９によって入力されたユーザ・コード、ｂは直前にユーザに提示した設定情報のインデックス、ｄはテンキーによってユーザに指示された設定情報の提示順で−１がより新しい方向、１がより古い方向を表す。
【００５４】
まず、設定としてｉとＵをゼロに初期化しキー入力を待つ（ステップＳ１）。<2>，<8>キーが押下されると（ステップＳ２，Ｓ５）、設定情報を移動しユーザに提示する処理を行う。<2>キーが押下されると、ｄを−１に（ステップＳ３）、<8>キーが押下されるとｄを１に（ステップＳ６）、それぞれセットし、ｂにｉをバックアップして（ステップＳ４）、ｉ＋ｄがリストの範囲内に収まることを確認し（ステップＳ７）、確認できればｉにｄを加算する（ステップＳ８）。ステップＳ７においてリスト範囲外になる場合は、何もせずにキー入力待ちに戻る。
【００５５】
ステップＳ８の次に、ユーザ・コードをチェックする。ユーザ・コードが指定され、それがｉ番目のユーザ・コードに一致しない場合はｉにｄを加算し処理を繰り返す。ここでは、ステップＳ９にてＵが０でないことを確認した時に、ステップＳ７に戻りｉにｄを加算するといった処理を、ステップＳ９にてＵが０であると判断されるまで繰り返し、次の処理（ステップＳ１１）へ進む。
【００５６】
ステップＳ１１以降では、選択方法による設定情報のスキップ処理に移る。選択方法が一括の場合（ステップＳ１１で、方法＝２の場合）には、ステップＳ１２へ進み、実行Ｎｏ．が直前に提示された設定情報と同じ場合（実行ｉ＝実行ｂ）は、ステップＳ７に戻り、ｉにｄを加算し処理を繰り返す。ステップＳ１１，Ｓ１２にてＮＯの場合、ｉ番目の設定項目と同じものがそれより新しい設定項目にあれば（ステップＳ１３でＹＥＳ）、それをｊとし、選択方法が項目選択の場合（ステップＳ１４でＹＥＳ）には、ステップＳ７に戻り、ｉにｄを加算し処理を繰り返す。ステップＳ１４で選択方法が項目選択ではない場合（ステップＳ１４でＮＯ）には、ｉ番目の設定値とｊ番目の設定値が同じか否かをステップＳ１５で判断する。ステップＳ１５において、ｉ番目の設定値とｊ番目の設定値が同じであり、ステップＳ１６にて選択方法が設定選択（方法≠０（方法＝１））と判断された場合、ステップＳ７に戻り、ｉにｄを加算し処理を繰り返す。これら条件に合わなければ（ステップＳ１３，Ｓ１５，Ｓ１６でＮＯ）、ｉ番目の設定情報をユーザに提示し（ステップＳ１７）、キー入力待ちに戻る。
【００５７】
一方、<4>，<6>キーが押下されると選択方法を変更する処理を行う。<4>キーで逆方向、<6>キーで正方向に選択方法を切り替える。すなわち、ステップＳ５でＮＯの場合、ステップＳ２１へ進み、<4>キーであるかを判断する。<4>キーであれば、「方法」を「方法−１」で置き換え（ステップＳ２２）、方法＜０か否かを判断し（ステップＳ２３）、方法＜０であれば方法を一括選択にし（ステップＳ２４）、キー入力待ちに戻る。ステップＳ２３で方法の値が負でないのであれば、そのままキー入力待ちに戻る。また、ステップＳ２１で<4>キーでないと判断された場合、<6>キーであるかを判断する（ステップＳ２５）。<6>キーであれば、「方法」を「方法＋１」で置き換え（ステップＳ２６）、方法＞２か否かを判断し（ステップＳ２７）、方法＞２であれば方法を項目選択にし（ステップＳ２８）、キー入力待ちに戻る。ステップＳ２７で方法＞２でなければ、そのままキー入力待ちに戻る。
【００５８】
また、<#>キーが押下されると設定情報ｉが選択され、<1>キーが押下されるとテンキーからユーザ・コードの入力を受け付け、Ｕにセットする。すなわち、ステップＳ２５でＮＯの場合、ステップＳ２９で<#>キーか否かを判断し、<#>キーであれば、設定情報ｉを選択して（ステップＳ３０）、キー入力待ちに戻る。<#>キーでなければ、<1>キーか否かを判断し（ステップＳ３１）、<1>キーであれば、ユーザ入力されたコードをＵにセットし（ステップＳ３２）、キー入力待ちに戻る。ステップＳ３１で<1>キーでなければ、そのままキー入力待ちに戻る。
【００５９】
【発明の効果】
本発明によれば、機器の操作設定時に、過去に使用されたことのある設定情報を素早く簡単に使用できる。
【図面の簡単な説明】
【図１】本発明の一実施形態に係る機器操作装置の構成例を説明するための図である。
【図２】図１の複写機におけるメニューの一覧の例を示す図である。
【図３】図１の複写機におけるテンキーの機能割り当て例を説明するための図である。
【図４】図１の複写機における設定履歴記憶部に保存された設定情報の例を示す図である。
【図５】図４のリストに基づき、設定履歴選択部を通してユーザが設定する際のテンキー操作例のイメージを示す図である。
【図６】図１の複写機における設定履歴選択部での処理例を説明するためのフロー図である。
【図７】図１の複写機における設定履歴選択部での処理例を説明するためのフロー図である。
【符号の説明】
１…複写機、１０…機器操作装置、１１…音声合成部、１２…音声認識部、１３…テンキー、１４…スタートキー、１５…メニュー記憶部、１６…設定操作部、１７…設定履歴記憶部、１８…設定履歴選択部、１９…ユーザ識別部、２０…複写制御部。
【図１】
2004206179.tif 000003
【図２】
2004206179.tif 000004
【図３】
2004206179.tif 000005
【図４】
2004206179.tif 000006
【図５】
2004206179.tif 000007
【図６】
2004206179.tif 000008
【図７】
2004206179.tif 000009